(57)【要約】【課題】温度検知時の放熱を低減できる給湯システムを提供する。【解決手段】給湯装置１からの液体を浴槽４０に供給する第１流路２４と、浴槽４０の液体を給湯装置１へ送る第２流路２１と、給湯装置１を制御する制御部５０と、浴槽４０に対して設けられ制御部５０と通信可能に接続された操作端末５２と、を備え、浴槽４０から第２流路２１に流入する液体の温度を検知する温度検知部５３を第２流路２１に備え、温度検知部５３の検知信号は操作端末５２に入力され、温度検知部５３で検知された温度に基づく浴槽制御に関する信号を操作端末５２から制御部５０に送信する。【選択図】図１
2013024474.tif 000002
【特許請求の範囲】
【請求項１】
給湯装置からの液体を浴槽に供給する第１流路と、
前記浴槽の液体を前記給湯装置へ送る第２流路と、
前記給湯装置を制御する制御部と、
前記浴槽に対して設けられ前記制御部と通信可能に接続された操作端末と、を備え、
前記浴槽から前記第２流路に流入する液体の温度を検知する温度検知部を前記第２流路に備え、
前記温度検知部の検知信号は前記操作端末に入力され、
前記温度検知部で検知された温度に基づく前記浴槽制御に関する信号を前記操作端末から前記制御部に送信する
ことを特徴とする給湯システム。
【請求項２】
前記浴槽制御に関する信号は、
前記温度検知部によって検知された温度に関する信号である
ことを特徴とする請求項１に記載の給湯システム。
【請求項３】
前記浴槽制御に関する信号は、
前記浴槽と前記給湯装置との間で液体を循環させる循環ポンプの駆動または停止を制御する信号である
ことを特徴とする請求項１に記載の給湯システム。
【請求項４】
前記温度検知部は、
前記給湯装置よりも前記第２流路の受入口に近い位置に設けられる
ことを特徴とする請求項１乃至請求項３のいずれか１項に記載の給湯システム。
【請求項５】
前記温度検知部は、
前記第１流路の供給口および前記第２流路の受入口が形成されたアダプタに配置される
ことを特徴とする請求項１乃至請求項４のいずれか１項に記載の給湯システム。
【発明の詳細な説明】
【技術分野】
【０００１】
本発明は、給湯システムに関する。
【背景技術】
【０００２】
特許文献１には、給湯装置から浴槽へと湯水を供給し浴槽に湯水を溜める湯張り運転と、浴槽内の湯水を吸い込んで給湯装置で加熱して再び浴槽に戻す追い焚き運転が可能な貯湯式給湯装置が開示されている。
【先行技術文献】
【特許文献】
【０００３】
【特許文献１】特開２００７−１６２９８４号公報
【発明の概要】
【発明が解決しようとする課題】
【０００４】
特許文献１の給湯装置は、給湯装置内に浴槽内の湯水の温度を検知するふろ温度センサを備え、湯張り運転後、浴槽内の湯水の温度が低下した際に追い焚き運転を行うことによって浴槽内の湯水の温度を一定に保つことが出来るようになっている。
しかしながら、ふろ温度センサが給湯装置内に設けられているために、浴槽内の湯水を給湯装置まで引き込まなければならず、放熱ロスが生じていた。
【０００５】
そこで、本発明は、温度検知時の放熱を低減できる給湯システムを提供することを課題とする。
【課題を解決するための手段】
【０００６】
このような課題を解決するために、本発明は、給湯装置からの液体を浴槽に供給する第１流路と、前記浴槽の液体を前記給湯装置へ送る第２流路と、前記給湯装置を制御する制御部と、前記浴槽に対して設けられ前記制御部と通信可能に接続された操作端末と、を備え、前記浴槽から前記第２流路に流入する液体の温度を検知する温度検知部を前記第２流路に備え、前記温度検知部の検知信号は前記操作端末に入力され、前記温度検知部で検知された温度に基づく前記浴槽制御に関する信号を前記操作端末から前記制御部に送信することを特徴とする給湯システムである。
【発明の効果】
【０００７】
本発明によれば、温度検知時の放熱を低減できる給湯システムを提供することができる。
【図面の簡単な説明】
【０００８】
【図１】本実施形態に係る給湯システムの構成図である。
【図２】風呂温度センサが配置されたアダプタの模式図である。
【図３】比較例に係る給湯システムの構成図である。
【発明を実施するための形態】
【０００９】
以下、本発明を実施するための形態（以下「実施形態」という）について、適宜図面を参照しながら詳細に説明する。なお、各図において、共通する部分には同一の符号を付し重複した説明を省略する。
【００１０】
≪本実施形態に係る給湯システムの構成≫
図１は、本実施形態に係る給湯システムＳの構成図である。
給湯システムＳは、給湯装置１と、ヒートポンプユニット３と、浴槽４０に設置されるアダプタ４１とを備えている。
給湯装置１は、タンク２と、凍結防止三方弁４と、混合弁５と、電磁弁６と、風呂循環ポンプ７と、循環調整弁８と、タンク２内に配置された追い焚き熱交換器９とを備え、各配管で接続されている。
【００１１】
給水源（図示せず）と接続された配管１１はタンク２の下部に接続されている。また、配管１１から分岐した配管１１ａは、混合弁５の流入口と接続されている。
タンク２は、液体を貯留するものであり、下部に配管１１が接続され、上部に配管１７が接続されている。配管１１からタンク２内に液体を流入させることにより、タンク２内の液体が押し上げられ、タンク２の上部に貯留された液体が配管１７から流出するようになっている。
【００１２】
また、タンク２は、下部に配管１２が接続され、上部に配管１６が接続されている。
配管１２は、凍結防止三方弁４、配管１３、配管１４を介して、ヒートポンプユニット３の入口側に接続され、配管１６は、配管１５を介して、ヒートポンプユニット３の出口側に接続されている。
【００１３】
ヒートポンプユニット３は、圧縮機（図示せず）、液冷媒熱交換器（図示せず）、減圧弁（図示せず）、空気冷媒熱交換器（図示せず）を有する冷媒回路（図示せず）と、液体を送液するポンプ（図示せず）を備え、入口側からポンプ（図示せず）により液体を吸い込んで、液冷媒熱交換器（図示せず）で高温の冷媒と熱交換することにより加熱し、加熱された液体を出口側から吐出させるものであり、入口側に配管１４が接続され、出口側に配管１５が接続されている。
また、ヒートポンプユニット３は、外部信号線６４を介して制御部５０と通信可能に接続されており、制御部５０によって制御可能に構成されている。制御部５０は、ヒートポンプユニット３を駆動することにより、配管１２，１３，１４を介してタンク２下部の液体を吸い込んで、加熱された液体を配管１５，１６を介してタンク２の上部から貯留するという「沸き上げ運転」を行うことができるようになっている。
【００１４】
凍結防止三方弁４は、一方の流入口から流入する液体、または、他方の流入口から流入する液体を、流出口から流出するものであり、一方の流入口に配管１２が接続され、他方の流入口に配管１６から分岐した配管１６ａが接続され、流出口に配管１３が接続されている。
凍結防止三方弁４は、制御部５０によって流路の切り換えが制御可能に構成されている。制御部５０は、前述した「沸き上げ運転」の際には、凍結防止三方弁４を配管１２と配管１３とが連通する状態とする。また、制御部５０は、凍結防止三方弁４を配管１６ａと配管１３とが連通する状態とし、ヒートポンプユニット３を駆動することにより、配管１３，１４，１５，１６ａ内に液体を循環させ、配管１４，１５の凍結を防止するという「ヒートポンプ側凍結防止運転」を行うことができるようになっている。
【００１５】
混合弁５は、一方の流入口から流入する液体と他方の流入口から流入する液体とを混合し、混合した液体を流出口から流出するものであり、一方の流入口にタンク２上部と接続された配管１７が接続され、他方の流入口に給水源（図示せず）に接続された配管１１から分岐した配管１１ａが接続され、流出口に配管１８が接続されている。
混合弁５は、制御部５０によって混合比が制御可能に構成されており、混合比を変更することにより、流出口から流出する液体の温度、即ち、浴槽４０に供給される湯水の温度を変更することができる。
【００１６】
電磁弁６は、電磁式の開閉弁であり、一端が配管１８と接続され、他端が配管１９と接続されている。そして、配管１９は、浴槽戻り管２２に合流し、浴槽戻り管２２の一端は浴槽配管接続金具３１に接続され、浴槽戻り管２２の他端は風呂循環ポンプ７に接続されている。
電磁弁６は、制御部５０によって開閉が制御可能に構成されており、開弁することにより浴槽４０に湯水を供給し、閉弁することにより浴槽４０への湯水の供給を停止することができる。
【００１７】
風呂循環ポンプ７は、吸込口から吸い込んだ液体を吐出口から吐き出すものであり、吸込口に浴槽戻り管２２が接続され、吐出口に配管２２ａが接続されている。
風呂循環ポンプ７は、制御部５０によって駆動および停止が制御可能に構成されている。
【００１８】
循環調整弁８は、流入口から流入する液体を分流して、一部の液体を一方の流出口から流出し、残部の液体を他方の流出口から流出するものであり、流入口に配管２２ａが接続され、一方の流出口に配管２２ｂが接続され、他方の流出口に浴槽往き管２３から分岐した配管２３ａが接続されている。
循環調整弁８は、制御部５０によって分流比（一方の流出口から流出する液体と他方の流出口から流出する液体との比率）を制御可能に構成されている。
【００１９】
追い焚き熱交換器９は、タンク２の内部上側に配置され、入口側から流入する液体をタンク２内の高温水と熱交換することにより加熱して、加熱された液体を出口側から流出するものであり、入口側に配管２２ｂが接続され、出口側に浴槽往き管２３が接続されている。そして、浴槽往き管２３は配管２３ａと合流し、浴槽配管接続金具３２に接続されている。
【００２０】
浴槽４０には、受入口４２および供給口４３を有するアダプタ４１が設置されている。
アダプタ４１の受入口４２と給湯装置１の浴槽配管接続金具３１とは、浴槽戻り配管２１で接続されている。また、アダプタ４１の供給口４３と給湯装置１の浴槽配管接続金具３２とは、浴槽往き配管２４で接続されている。
【００２１】
台所リモコン５１は、図示しない給湯端末の側に設置され、使用者が操作することにより、給湯システムＳの動作を指示できるようになっている。台所リモコン５１は、制御部５１ｃを有し、制御部５１ｃと制御部５０とは、外部信号線６１により通信可能に接続されている。
風呂リモコン５２は、浴槽４０の側に設置され、使用者が操作することにより、給湯システムＳの動作を指示できるようになっている。風呂リモコン５２は、制御部５２ｃを有し、制御部５２ｃと制御部５０とは、外部信号線６２により通信可能に接続されている。
【００２２】
風呂温度センサ５３は、給湯装置１の浴槽配管接続金具３１とアダプタ４１の受入口４２とを接続する浴槽戻り配管２１に設けられた温度センサであり、浴槽戻り配管２１内を通流する液体の温度を検知することができるようになっている。
また、風呂温度センサ５３は、アダプタ４１の近傍に設けることが望ましい。これにより、後述する浴槽監視運転の温度検知時における湯水の循環量を低減させることができる。
【００２３】
なお、風呂温度センサ５３は、図１に示すように浴槽戻り配管２１に配置されるものとして説明するが、図２に示すようにアダプタ４１に配置されていてもよい。図２は、風呂温度センサ５３が配置されたアダプタ４１の模式図である。
アダプタ４１は、後述する沸き上げ運転（または、浴槽監視運転の温度検知）時に浴槽４０内の湯水を吸い込みする受入口４２と、後述する沸き上げ運転（または、浴槽監視運転の温度検知）時に浴槽４０内へと湯水を吐き出しする供給口４３と、受入口４２と連通し浴槽戻り配管２１と接続される戻り配管接続部４２ａと、供給口４３と連通し浴槽往き配管２４と接続される往き配管接続部４３ａと、を備えている。そして、風呂温度センサ５３は、受入口４２と戻り配管接続部４２ａとを連通する流路を通流する液体の温度を検知することができるようになっている。アダプタ４１にあらかじめ風呂温度センサ５３を設けることにより、給湯システムＳの施工が容易となる。
【００２４】
図１に示すように、風呂温度センサ５３と風呂リモコン５２の制御部５２ｃとは、外部信号線６３により通信可能に接続されている。そして、風呂温度センサ５３で検知された温度信号は、風呂リモコン５２の制御部５２ｃに送信されるようになっている。
【００２５】
水位センサ５４は、給湯装置１内の浴槽戻り管２２に設けられており、水頭圧により、浴槽４０内の水位を検知することができるようになっている。
水位センサ５４で検知された水位信号は、給湯装置１の制御部５０に送信されるようになっている。
【００２６】
給湯システムＳの運転を制御する制御部５０は、給湯装置１の内部に配置された凍結防止三方弁４、混合弁５、電磁弁６、風呂循環ポンプ７、循環調整弁８と信号線（図示せず）により接続され、制御することができるようになっている。
また、制御部５０は、給湯装置１の内部に配置された水位センサ５４と信号線（図示せず）により接続され、検知信号（水位信号）を受信することができるようになっている。
また、制御部５０は、外部信号線６１を介して台所リモコン５１の制御部５１ｃと通信可能に接続され、外部信号線６２を介して風呂リモコン５２の制御部５２ｃと通信可能に接続され、外部信号線６４を介してヒートポンプユニット３と通信可能に接続されている。
【００２７】
≪給湯システムＳの運転動作≫
次に、制御部５０が実行する給湯システムＳの運転動作について説明する。
本実施形態に係る給湯システムＳは、「湯張り運転」、「追い焚き運転」、「浴槽監視運転」等の各種運転が可能に構成されている。
【００２８】
＜１．湯張り運転＞
湯張り運転とは、浴槽４０に所定の温度の湯水を所定の水位まで溜める運転である。
使用者が台所リモコン５１（または、風呂リモコン５２）を操作して、浴槽４０に溜める湯水の温度（設定温度）と水位（設定水位）を入力し、湯張り開始を指示するボタン（図示せず）を操作することにより、台所リモコン５１の制御部５１ｃ（または、風呂リモコン５２の制御部５２ｃ）は、給湯装置１の制御部５０に設定温度、設定水位、湯張り指令を送信する。
制御部５０は、設定温度、設定水位、湯張り指令を受信すると、湯張り運転を開始する。具体的には、制御部５０は、受信した設定温度に基づいて混合弁５の混合比を制御して、電磁弁６を開弁する。
【００２９】
すると、給水源（図示せず）の冷水が水道圧により配管１１からタンク２の下部に流入し、タンク２内の高温水を押し上げる。押し上げられた高温水は、タンク２上部に接続された配管１７から混合弁５に供給される。
タンク２上部に接続された配管１７から供給される高温水と給水源（図示せず）に接続された配管１１ａから供給される冷水とが混合弁５で混合され、設定温度に基づいた適温の湯水となる。そして、適温の湯水は、配管１８、電磁弁６、配管１９、浴槽戻り管２２、浴槽配管接続金具３１、浴槽戻り配管２１を介して、アダプタ４１の受入口４２から浴槽４０内に供給される。
【００３０】
ここで、風呂リモコン５２の制御部５２ｃは、風呂温度センサ５３から受信した検知信号（温度信号）を外部信号線６２を介して制御部５０に送信してもよい。そして、制御部５０は、風呂温度センサ５３の検知信号（温度信号）に基づいて、混合弁５の混合比を再調整してもよい。例えば、風呂温度センサ５３の検知信号（温度信号）が設定温度よりも高い場合、配管１１ａと接続された流入口からの流入量を増加させ、配管１７と接続された流入口からの流入量を減少させるように、混合弁５の混合比を変更する。また、風呂温度センサ５３の検知信号（温度信号）が設定温度よりも低い場合、配管１１ａと接続された流入口からの流入量を減少させ、配管１７と接続された流入口からの流入量を増加させるように、混合弁５の混合比を変更する。
【００３１】
制御部５０は、水位センサ５４から検知信号（水位信号）を受信して、検知した水位が所定の水位（設定水位）以上となると、電磁弁６を閉弁して、湯張り運転を終了する。
【００３２】
＜２．追い焚き運転＞
追い焚き運転とは、浴槽４０内の湯水を、浴槽４０−追い焚き熱交換器９間で循環させ、水位はそのままで浴槽４０内の湯水の温度が所定の温度となるようにする運転である。
使用者が台所リモコン５１（または風呂リモコン５２）を操作して、追い焚き運転開始を指示するボタン（図示せず）を操作することにより、台所リモコン５１の制御部５１ｃ（または風呂リモコン５２の制御部５２ｃ）は、給湯装置１の制御部５０に追い焚き指令を送信する。
制御部５０は、追い焚き指令を受信すると、追い焚き運転を開始する。具体的には、制御部５０は、風呂循環ポンプ７を駆動させ、循環調整弁８の分流比を制御する。なお、追い焚き運転において、電磁弁６は閉弁している。
【００３３】
すると、浴槽４０内の湯水がアダプタ４１の受入口４２、浴槽戻り配管２１、浴槽配管接続金具３１、浴槽戻り管２２を介して、風呂循環ポンプ７に吸い込まれる。
そして、風呂循環ポンプ７から吐出された湯水は、循環調整弁８により分流して、一部が追い焚き熱交換器９に導入される。分流した一部の湯水は、追い焚き熱交換器９でタンク２内の高温水と熱交換することにより加熱される。
追い焚き熱交換器９で加熱され高温となった一部の湯水と、循環調整弁８で分流した残部の湯水とは、浴槽往き管２３で合流して、適温の湯水となり、浴槽配管接続金具３２、浴槽往き配管２４、アダプタ４１の供給口４３から浴槽４０内に戻される。
【００３４】
ここで、風呂リモコン５２の制御部５２ｃは、風呂温度センサ５３から受信した検知信号（温度信号）を外部信号線６２を介して制御部５０に送信する。そして、制御部５０は、風呂温度センサ５３から検知信号（温度信号）を受信して、検知した温度が所定の温度（設定温度）以上となると、風呂循環ポンプ７を停止させ、追い焚き運転を終了する。
【００３５】
＜３．浴槽監視運転＞
制御部５０は、湯張り運転を終了すると、浴槽４０内の湯水の温度が、設定された温度に基づいた所定の範囲内であるかを監視する浴槽監視運転を開始する。
【００３６】
制御部５０は、湯張り運転終了から所定時間経過後に、風呂循環ポンプ７を駆動させる。なお、循環調整弁８は、配管２２ａから流入した湯水が配管２３ａに流出する状態となっている。
これにより、浴槽４０内の湯水がアダプタ４１の受入口４２から浴槽戻り配管２１に流入し、浴槽戻り配管２１に設けられた風呂温度センサ５３（または、アダプタ４１に設けられた風呂温度センサ５３（図２参照））で浴槽４０内の湯水の温度を検知することができる。
風呂リモコン５２の制御部５２ｃは、風呂温度センサ５３から受信した検知信号（温度信号）を外部信号線６２を介して制御部５０に送信する。
【００３７】
浴槽４０内の湯水の温度が所定の温度（設定温度）以上である場合、制御部５０は、浴槽監視運転を継続する。
具体的には、制御部５０は、風呂循環ポンプ７を停止させ、所定時間経過後に再び風呂循環ポンプ７を駆動させ浴槽４０内の湯水の温度を検知する。
【００３８】
浴槽４０内の湯水の温度が所定の温度（設定温度）未満である場合、制御部５０は、追い焚き運転を行う。なお、追い焚き運転は、前述したものと同様であり、詳細な説明を省略する。
そして、追い焚き運転を終了すると、制御部５０は浴槽監視運転を再開する。
【００３９】
≪本実施形態に係る給湯システムと比較例に係る給湯システムとの対比≫
本実施形態に係る給湯システムＳ（図１参照）と比較例に係る給湯システムＳＡ（図３参照）とを対比しつつ、本実施形態に係る給湯システムＳの効果について説明する。
【００４０】
図３は、比較例に係る給湯システムＳＡの構成図である。
比較例に係る給湯システムＳＡは、風呂温度センサ５３Ａが給湯装置１Ａの浴槽戻り管２２に配置され、信号線（図示せず）により給湯装置１Ａの制御部５０と接続され、制御部５０が検知信号（水位信号）を受信することができるようになっている。その他の構成は、給湯装置１（図１参照）と同様であり、説明を省略する。
【００４１】
本実施形態に係る給湯システムＳ（図１参照）および比較例に係る給湯システムＳＡ（図３参照）は、浴槽監視運転における温度検知時において、循環調整弁８は配管２２ａから流入した湯水が配管２３ａに流出する状態となっており、湯水が循環可能なアダプタ４１の受入口４２、浴槽戻り配管２１、浴槽配管接続金具３１、浴槽戻り管２２、風呂循環ポンプ７、配管２２ａ、循環調整弁８、配管２３ａ、浴槽往き管２３、浴槽配管接続金具３２、浴槽往き配管２４、アダプタ４１の供給口４３からなる循環回路が形成されている。
【００４２】
このため、浴槽監視運転における温度検知の度に、風呂循環ポンプ７を駆動させて、浴槽４０内の湯水をアダプタ４１の受入口４２から浴槽戻り配管２１へと流出させると、浴槽往き配管２４内の湯水がアダプタ４１の供給口４３から浴槽４０内へと流入することとなる。
【００４３】
ここで、浴槽４０は室内に設置され、給湯装置１は室外に設置されている。そして、浴槽戻り配管２１および浴槽往き配管２４は、断熱材（図示せず）等により覆われて外気と断熱するようになっているものの、浴槽戻り配管２１および浴槽往き配管２４内で滞留した湯水は少しずつ外気へと放熱するため、浴槽４０内の湯水より低い温度となっている。
【００４４】
比較例に係る給湯システムＳＡ（図３参照）は、浴槽戻り管２２に風呂温度センサ５３Ａが配置されているため、温度検知の際には、風呂循環ポンプ７を駆動させて、浴槽４０内の湯水を浴槽戻り管２２まで引き込む必要がある。
このため、浴槽４０内の湯水が流出し、浴槽往き管２３および浴槽往き配管２４内の湯水が浴槽４０に流入するため、浴槽４０内の湯水の温度が追い焚き運転をする必要がない状態であっても、温度検知の度に浴槽４０内の湯水の温度が低下することとなる。
【００４５】
これに対し、本実施形態に係る給湯システムＳ（図１参照）は、浴槽戻り配管２１に風呂温度センサ５３が配置されているため、温度検知の際には、風呂循環ポンプ７を駆動させて、浴槽４０内の湯水を浴槽戻り配管２１まで引き込めばよい。
このため、浴槽４０から流出する湯水が少なくてすむとともに、温度検知の際に浴槽４０に流入する湯水は浴槽往き配管２４内の一部となり、温度検知の度に生じる浴槽４０内の湯水温度低下を低減することができる。
【００４６】
このため、風呂温度センサ５３は、アダプタ４１の近傍に設けることが望ましい。これにより、温度検知の際における湯水の循環量を低減させ、温度検知の度に生じる浴槽４０内の湯水温度低下を低減することができる。
また、図２に示すように、アダプタ４１に風呂温度センサ５３を設けることにより、温度検知の際における湯水の循環量をさらに低減させることができ、温度検知の度に生じる浴槽４０内の湯水温度低下を低減することができる。
【００４７】
また、浴槽４０から風呂温度センサ５３までの湯水の引き込み量が低減するため、温度検知までに要する時間を短縮することができる。このため、追い焚き運転において、浴槽４０内の湯水の温度が所定の温度（設定温度）以上となったか否かを速やかに検知することができる。
【００４８】
また、本実施形態に係る給湯システムＳ（図１参照）は、風呂温度センサ５３と風呂リモコン５２の制御部５２ｃとが外部信号線６３で接続され、風呂リモコン５２の制御部５２ｃと給湯装置１の制御部５０とが外部信号線６２で接続されている。
このため、風呂温度センサ５３と給湯装置１の制御部５０とを直接接続する場合と比較して、風呂温度センサ５３に接続される信号線を短くすることができるとともに、給湯システムＳの施工が容易となる。
【００４９】
なお、本実施形態に係る給湯システムＳは、給湯装置１の制御部５０を主とし、ユーザーインターフェースである風呂リモコン５２を従とする関係は従来と共通する。一方で、本実施形態に係る給湯システムＳは、その従たる風呂リモコン５２が信号（温度信号又はこれに基づく制御信号）を媒介する機能を有するものである。このように、本実施形態に係る給湯システムＳは、浴槽に対応して必然的に設けられる風呂リモコンに信号の媒介機能を新たに持たせることにより、上述のような効果を容易に実現することが可能となっている。
【００５０】
≪変形例≫
なお、本実施形態に係る給湯システムＳは、上記実施形態の構成に限定されるものではなく、発明の趣旨を逸脱しない範囲内で種々の変更が可能である。
本実施形態に係る給湯システムＳは、風呂リモコン５２の制御部５２ｃが風呂温度センサ５３から受信した検知信号（温度信号）を外部信号線６２を介して制御部５０に送信し、制御部５０が受信した検知信号（温度信号）と設定温度とを比較して、追い焚き運転を行うか否かを判定するものとして説明したが、これに限られるものではない。
【００５１】
例えば、風呂リモコン５２の制御部５２ｃが風呂温度センサ５３から受信した検知信号（温度信号）と設定温度とを比較して追い焚き運転を行うか否かを判定し、追い焚き運転を行うと判定した場合、給湯装置１の制御部５０に追い焚き指令を送信する構成であってもよい。風呂リモコン５２の制御部５２ｃから追い焚き指令を受信した制御部５０は、風呂循環ポンプ７を駆動させ、循環調整弁８の分流比を制御する。
そして、風呂リモコン５２の制御部５２ｃが風呂温度センサ５３から受信した検知信号（温度信号）と設定温度とを比較して追い焚き運転を終了するか否かを判定し、追い焚き運転を終了すると判定した場合、給湯装置１の制御部５０に追い焚き終了指令を送信する。風呂リモコン５２の制御部５２ｃから追い焚き終了指令を受信した制御部５０は、風呂循環ポンプ７を停止させることにより、追い焚き運転が終了する。
【００５２】
また、本実施形態に係る給湯システムＳ（図１参照）は、風呂温度センサ５３と風呂リモコン５２の制御部５２ｃとが外部信号線６３で接続され、風呂リモコン５２の制御部５２ｃと給湯装置１の制御部５０とが外部信号線６２で接続される構成であるものとして説明したが、これに限られるものではない。
例えば、風呂温度センサ５３と風呂リモコン５２の制御部５２ｃとが外部信号線６３で接続され、風呂リモコン５２の制御部５２ｃと台所リモコン５１の制御部５１ｃとが外部信号線（図示せず）で接続され、台所リモコン５１の制御部５１ｃと給湯装置１の制御部５０とが外部信号線６２で接続される構成であってもよい。
【００５３】
また、タンク２内の液体を加熱する加熱手段は、ヒートポンプユニット３に限定されるものではなく、電気を用いて熱を生成するヒータが貯湯タンク２内に配置される構成であってもよい。
【符号の説明】
【００５４】
Ｓ      給湯システム
１      給湯装置
２      タンク
３      ヒートポンプユニット
４      凍結防止三方弁
５      混合弁
６      電磁弁
７      風呂循環ポンプ
８      循環調整弁
９      追い焚き熱交換器
２１    浴槽戻り配管（第２流路）
２２    浴槽戻り管
２３    浴槽往き管
２４    浴槽往き配管（第１流路）
３１，３２    浴槽配管接続金具
４０    浴槽
４１    アダプタ
４２    受入口
４２ａ  戻り配管接続部（第２流路）
４３    供給口
４３ａ  往き配管接続部（第１流路）
５０，５１ｃ，５２ｃ    制御部
５１    台所リモコン
５２    風呂リモコン（操作端末）
５３    風呂温度センサ
５４    水位センサ
６１，６２，６３，６４    外部信号線
１１，１１ａ，１２，１３，１４，１５，１６，１６ａ，１７，１８，１９，２２ａ，２２ｂ，２３ａ    配管
【図１】
2013024474.tif 000003
【図２】
2013024474.tif 000004
【図３】
2013024474.tif 000005